(57)【要約】      （修正有）【課題】酸素が吸痰又は洗浄過程において、ポンピングされ、吸痰管の外表面上に痰液を残させない押圧スイッチを具える吸痰装置を提供する。【解決手段】本体１００と、押圧スイッチ２００と、を含み、本体の一端に患者端コネクタ１１０を設け、他端に、吸痰コネクタ１３０と、洗浄コネクタ１４０と、接続部１５０と、を設ける。押圧スイッチ２００は、接続部１５０内に滑動接続し、第１位置及び第２位置の間でスイッチすることができ、押圧スイッチ２００内に仕切り板２１０を設け、その内部を吸痰段及び洗浄段に分け、押圧スイッチ２００が吸痰段に相互に向き合う２つの吸痰孔を設け、吸痰段及び洗浄段にそれぞれ洗浄コネクタ１４０と相通する洗浄液入口及び吸痰コネクタ１３０と相通する洗浄液出口を設ける。【選択図】図１
0003178417.tif 000002
【実用新案登録請求の範囲】
【請求項１】
本体（１００）と、押圧スイッチ（２００）と、を含み、
該本体（１００）は、その一端に患者端コネクタ（１１０）及び該患者端コネクタ（１１０）と相通する酸素供給コネクタ（１２０）と、を設け、該本体（１００）の他端に、吸痰コネクタ（１３０）と、洗浄コネクタ（１４０）と、接続部（１５０）と、を設け、
該押圧スイッチ（２００）は、該接続部（１５０）内に滑動接続し、第１位置及び第２位置の間でスイッチすることができ、該押圧スイッチ（２００）の内部に仕切り板（２１０）を設け、該内部を吸痰段（Ｚ１）及び洗浄段（Ｚ２）に分け、該押圧スイッチ（２００）が該吸痰段（Ｚ１）に相互に向き合う２つの吸痰孔（２２１），（２２２）を設け、該吸痰段（Ｚ１）に該洗浄コネクタ（１４０）と、相通する洗浄液入口（２２３）を設け、該洗浄段（Ｚ２）に該吸痰コネクタ（１３０）と相通する洗浄液出口（２２４）を設け、且つ該吸痰コネクタに近隣する吸痰孔（２２２）の周縁に痰削ぎ片（２２５）を設け、
これにより、該押圧スイッチ（２００）が該第１位置に位置する時、該吸痰段（Ｚ１）の該２つの吸痰孔（２２１），（２２２）が該患者端コネクタ（１１０）及び該吸痰コネクタ（１３０）と互いに相通し、該押圧スイッチ（２００）が該第２位置に位置する時、該洗浄段（Ｚ２）は、該患者コネクタ（１１０）及び該吸痰コネクタ（１３０）の間の連通を閉鎖し、該洗浄コネクタ（１４０）及び該吸痰コネクタ（１３０）を互いに挿入させる押圧スイッチを具える吸痰装置。
【請求項２】
前記接続部（１５０）が中空管状を呈し、該吸痰コネクタ（１３０）、該洗浄コネクタ（１４０）、及び該接続部（１５０）に１つの三通構造を形成させる請求項１に記載の押圧スイッチを具える吸痰装置。
【請求項３】
前記押圧スイッチ（２００）の該吸痰段（Ｚ１）から離れる一端に押圧段（Ｚ３）を形成し、該押圧段（Ｚ３）の一端が該接続部（１５０）外に凸伸して押圧部材（２２６）を形成し、該押圧段（Ｚ３）が該洗浄段（Ｚ２）の一端に近隣し、係止凸縁（２２７）を成型し、該押圧スイッチ（２００）が該接続部（１５０）外に滑動することを防止する請求項２に記載の押圧スイッチを具える吸痰装置。
【請求項４】
前記押圧部材（２２６）が抽出される時、該押圧部材（２２６）が外向きに滑動し局部が該接続部（１５０）内から離脱し、該第１位置に位置し、この時、該吸痰段（Ｚ１）は、該患者端コネクタ（１１０）及び該吸痰コネクタ（１３０）の間の一直線上に位置する請求項３に記載の押圧スイッチを具える吸痰装置。
【請求項５】
前記押圧部材（２２６）が押圧される時、該押圧部材（２２６）が該接続部（１５０）に完全に挿入され、該第２位置に位置し、この時、該洗浄段（Ｚ２）は、該患者端コネクタ（１１０）及び該吸痰コネクタ（１３０）の間の一直線上に位置する請求項３に記載の押圧スイッチを具える吸痰装置。
【請求項６】
前記仕切り板（２１０）上に通孔（２１１）を設ける請求項３に記載の押圧スイッチを具える吸痰装置。
【請求項７】
前記２つの吸痰孔（２２１）、（２２２）の内径が該吸痰コネクタ（１３０）を貫通する吸痰管（４１０）の外径に等しく、該吸痰管（４１０）が該２つの吸痰孔（２２１）、（２２２）を通過して緊密な組み合わせを形成することができる請求項６に記載の押圧スイッチを具える吸痰装置。
【請求項８】
前記痰削ぎ片（２２５）は、該吸痰管（４１０）を通過させる貫通孔（２２５１）を有する請求項７に記載の押圧スイッチを具える吸痰装置。
【考案の詳細な説明】
【技術分野】
【０００１】
本考案は、吸痰装置に関し、特に、押圧スイッチを具える吸痰装置に関する。
【背景技術】
【０００２】
患者が病床で自ら吸痰することができないので、メディカルケアスタッフは、吸痰装置を使用し、該患者に対し、吸痰を実施する必要がある。従来の吸痰装置は、患者の口鼻に接続する患者端コネクタと、酸素源に接続する酸素供給コネクタと、吸痰コネクタ及び洗浄コネクタを含む。実際の使用時、酸素源からの酸素が酸素供給コネクタから患者端コネクタを経由して患者口鼻内に入力し、患者の呼吸に必要な酸素の供給を持続する。患者が吸痰を必要な時、メディカルケアスタッフは、吸痰管を吸痰コネクタ内に通過して患者端コネクタ内に挿入し、負圧を利用して患者口鼻内の痰液を吸痰管内に吸引する。吸痰完成後、メディカルケアスタッフは、洗浄管を洗浄コネクタ内に挿入し、洗浄管からの洗浄液が洗浄コネクタ内に流入して吸痰装置内の残余痰液を洗浄する。
【０００３】
従来の吸痰装置の他の問題は、以下にある：吸痰を完成した後、メディカルケアスタッフは、吸痰管を吸痰装置中から抜出、吸痰管の外表面上に痰液を残留させ、痰液中の病原菌は、メディカルケアスタッフ又は清掃員の感染を招く可能性がある。
【０００４】
従って、上記の問題点を如何に解決するかは、本考案者の改良の目標である。
【先行技術文献】
【特許文献】
【０００５】
【特許文献１】実用新案登録第３１７３２７５号公報
【考案の概要】
【考案が解決しようとする課題】
【０００６】
本発明の目的は、押圧スイッチを具える吸痰装置を提供することにあり、それは、酸素が吸痰又は洗浄過程において、ポンピングされ、吸痰管の外表面上に痰液を残留させないようする。
【課題を解決するための手段】
【０００７】
上記の目的を達成する為、本考案が提供する押圧スイッチを具える吸痰装置は、本体と、押圧スイッチと、を含み、
該本体は、その一端に患者端コネクタ及び該患者端コネクタと相通する酸素供給コネクタと、を設け、該本体の他端に、吸痰コネクタと、洗浄コネクタと、接続部と、を設け、
該押圧スイッチは、該接続部内に滑動接続し、第１位置及び第２位置の間でスイッチすることができ、該押圧スイッチの内部に仕切り板を設け、該内部を吸痰段及び洗浄段に分け、該押圧スイッチが該吸痰段に相互に向き合う２つの吸痰孔を設け、該吸痰段に該洗浄コネクタと、相通する洗浄液入口を設け、該洗浄段に該吸痰コネクタと相通する洗浄液出口を設け、且つ該吸痰コネクタに近隣する吸痰孔の周縁に痰削ぎ片を設け、
これにより、該押圧スイッチが該第１位置に位置する時、該吸痰段の該２つの吸痰孔が該患者端コネクタ及び該吸痰コネクタと互いに相通し、該押圧スイッチが該第２位置に位置する時、該洗浄段は、該患者コネクタ及び該吸痰コネクタの間の連通を閉鎖し、該洗浄コネクタ及び該吸痰コネクタを互いに挿入させる。
【考案の効果】
【０００８】
従来技術に比較し、本発明は以下の効果を有する：
本発明の吸痰装置は、押圧スイッチを有し、且つ押圧スイッチ内に仕切り板を有し、吸痰段及び洗浄段を分け、吸痰段に２つの互いに向き合う吸痰孔を設け、押圧スイッチが第１位置にある時、吸痰段の２つの吸痰孔が患者端のコネクタ及び吸痰コネクタに揃い、患者端コネクタを吸痰コネクタと互いに相通させ、この時、吸痰コネクタを通過する吸痰管は、２つの吸痰孔を経由して患者コネクタ内に進入することができ、これにより患者の痰液を吸引する。同時に、２つの吸痰孔の寸法は、吸痰管の貫通接合を許容するだけであるので、吸痰期間に、酸素供給コネクタが供給する酸素がこの２つの吸痰孔を経由し、吸痰コネクタに吸引される。押圧スイッチが第２位置にある時、洗浄段は、患者端コネクタ及び吸痰コネクタの間に位置し、洗浄段に患者端コネクタ及び吸痰コネクタの間の相通を閉鎖させるので、この時、洗浄液が洗浄段の洗浄液入口及び洗浄液出口を介して、吸痰コネクタ内に注入されることができ、酸素は、押圧スイッチの洗浄段外壁の阻隔を受けて、吸痰コネクタ内に進入することができない。従って、本発明の押圧スイッチは、酸素が吸痰又は洗浄の過程において、ポンピングされることを回避することができる。
【０００９】
もう一方で、本発明に基づき、該押圧スイッチが該第１位置にある時、吸痰コネクタに近隣する該吸痰孔の周縁に痰削ぎ片を有するので、吸痰管が２つの吸痰孔及び吸痰コネクタを抽出する時、吸痰管外表面上の残留痰液が痰削ぎ片により除かれ、押圧スイッチ内に留まる。このように、吸痰管の外表面上に痰液を残留するので、メディカルケアスタッフ又は清掃員が痰液中の病原菌により感染されることがない。
【図面の簡単な説明】
【００１０】
【図１】本考案の組み合わせ断面図である。
【図２】本考案の組み合わせ断面図であり、そのうち、押圧スイッチは、第１位置に位置し、吸痰作業を行う。
【図３】本考案の組み合わせ断面図であり、そのうち、押圧スイッチは、第２位置に位置し、洗浄作業を行う。
【考案を実施するための形態】
【００１１】
本考案の詳細な説明及び技術内容に関し、図面に合わせ、以下に説明を行うが、図面は、参考及び説明用に提供するだけであり、本考案に制限を加えることに用いるのではない。
【００１２】
図１を参考にし、本発明は、押圧スイッチ２００を具える吸痰装置１を提供し、吸痰装置１に本体１００を有し、この本体１００の一端（図１の上端）に患者端コネクタ１１０を設け、患者の口鼻マスクに接続することに用いる（図示せず）。患者端コネクタ１１０の付近（図１の左側）において、本体１００に該患者端コネクタ１１０と相通する酸素供給コネクタ１２０を設け、酸素供給管３００を挿入させることに用いる。本体１００の他端（図１の下端）は、吸痰コネクタ１３０を設け、蓄痰容器４００の吸痰管４１０を挿入させることに用いる。吸痰コネクタ１３０の付近において、本体１００は、更に洗浄コネクタ１４０を設け、洗浄管５００を挿入接続させることに用いる。
【００１３】
吸痰装置１の本体１００は、更に接続部１５０を有し、該接続部１５０が中空管状を呈し、吸痰コネクタ１３０、洗浄コネクタ１４０、及び接続部１５０に１つの三通構造を形成する。
【００１４】
押圧スイッチ２００は、接続部１５０に滑動接合し、第１位置及び第２位置の間を切り換えることができる。押圧スイッチ２００の内部に仕切り板２１０を設け、該内部を吸痰段Ｚ１及び洗浄段Ｚ２に分け、押圧スイッチ２００は、該吸痰段Ｚ１に互いに向き合う２つの吸痰孔２２１，２２２を設け、そのうち、吸痰孔２２１は、患者端コネクタ１１０に接近し、吸痰孔２２２は、吸痰コネクタ１３０に近接し、且つ吸痰コネクタ１３０近隣の該吸痰孔２２２の周縁に痰削ぎ片２２５を設け、押圧スイッチ２００は、吸痰段Ｚ１に更に洗浄コネクタ１４０と相通する洗浄液入口２２３を設ける。
【００１５】
押圧スイッチ２００は、洗浄段Ｚ２に、吸痰コネクタ１３０と相通する洗浄液出口２２４を設ける。
【００１６】
また、押圧スイッチ２００の吸痰段Ｚ１から離れる一端に押圧段Ｚ３を形成し、押圧段Ｚ３の一端が該接続部１５０外に凸伸し、押圧部材２２６を形成し、押圧段Ｚ３の洗浄段Ｚ２に近隣する一端は、係止凸縁２２７に成型し、押圧スイッチ２００が接続部１５０外に滑り出ることを防止する。
【００１７】
特に説明すべきことは、図１から分かるように、吸痰孔２２１，２２２の内径が吸痰管４１０の外径に略等しいので、吸痰管４１０は、２つの吸痰孔２２１，２２２を通過し、且つ緊密な組み合わせを形成することができる。また、痰削ぎ片２２５は、貫通孔２２５１を有し、この貫通孔２２５１の内径は、吸痰管４１０の外径より若干小さいが、吸痰片２２５の材質のフレキシブル性が貫通孔２２５１に微小な弾性変形を発生させ、吸痰管４１０を通過させることができ、吸痰管４１０及び痰削ぎ片２２５の間に緊密な組み合わせを形成させる。吸痰管４１０は、吸痰孔２２１，２２から抜け出す時、痰削ぎ片２２５は、吸痰管４１０の外表面上に残留する痰液を削ぎ落とすことができる。
【００１８】
図２を参考にし、使用者が手指で該押圧部材２２６を抽出し、押圧スイッチ２００を外へ滑動させて局部が接続部１５０を離脱する時、押圧スイッチ２００は、第１位置に位置し、この時、吸痰段Ｚ１は、患者端コネクタ１１０及び吸痰コネクタ１３０の間の一直線上に位置する。この時、蓄痰容器４００中の吸痰管４１０は、吸痰コネクタ１３０を挿入でき、押圧スイッチ２００の吸痰段Ｚ１に位置する２つの吸痰孔２２１，２２２を通過し、患者端コネクタ１１０内に進入する。図２の点線矢印に示すように、酸素管３００の酸素が酸素供給コネクタ１２０に流入し、患者端コネクタ１１０内に円滑に流入し、吸痰管４１０の影響を受けることがない。また、吸痰孔２２１，２２２の内径は、吸痰管４１０の外径に略等しいので、吸痰管４１０が吸痰孔２２１，２２２を通過する時、緊密な組み合わせを呈し、従って、酸素が吸痰孔２２１，２２２を通過して吸痰コネクタ１３０内に流入することができない。従って、吸痰過程において、押圧スイッチ２００は、酸素が吸痰コネクタ１３０及び蓄痰容器４００内に吸引されることを防止し、酸素の浪費を回避する以外に、患者は、酸素供給量が小さくなると感じることもない。
【００１９】
図２乃至図３を参考にし、使用者が手指で押圧部材２２６を押圧する時、押圧スイッチ２００は、接続部１５０内に完全に挿入され、第２位置に位置し、この時、洗浄段Ｚ２は、患者端コネクタ１１０及び吸痰コネクタ１３０の間の直線上に位置する。押圧スイッチ２００によって左向きに一定距離滑動するので、吸痰段Ｚ１の２つの吸痰孔２２１，２２２が右向きに滑動した後、患者端コネクタ１１０及び吸痰コネクタ１３０と一直線になることがなく、これにより患者端コネクタ１１０及び吸痰コネクタ１３０の間の連通を閉鎖する。この時、洗浄段Ｚ２は、患者端コネクタ１１０及び吸痰コネクタ１３０と一直線になり、洗浄液出口２２４を吸痰コネクタ１３０及び吸痰管４１０と相通する。図３から分かるように、酸素管３００からの酸素が酸素供給コネクタ１２０内に流入した後、依然として非常に円滑に患者端コネクタ１１０内に流入することができる。洗浄管５００内の洗浄液は、洗浄コネクタ１４０から押圧スイッチ２００の吸痰段Ｚ１の洗浄液入口２２３から流入し、吸痰段Ｚ１及び洗浄段Ｚ２を通過し、且つ仕切り板２１０上に通孔２１１を設けることができ、洗浄液出口２２４を介して吸痰管４１０内に流入し、蓄痰容器４００内に到達する。
【００２０】
従来技術に比較し、本発明は以下の効果を有する：
本発明の吸痰装置１は、押圧スイッチ２００を有し、且つ押圧スイッチ２００内に仕切り板２１０を有し、吸痰段Ｚ１及び洗浄段Ｚ２を分け、吸痰段Ｚ１に２つの互いに向き合う吸痰孔２２１，２２２を設け、押圧スイッチ２００が第１位置にある時、吸痰段Ｚ１の２つの吸痰孔２２１，２２２が患者端コネクタ１１０及び吸痰コネクタ１３０に揃い、患者端コネクタ１１０を吸痰コネクタ１３０と互いに相通させ、この時、吸痰コネクタ１３０を通過する吸痰管４１０は、２つの吸痰孔２２１，２２２を経由して患者コネクタ１１０内に進入することができ、これにより患者の痰液を吸引する。同時に、２つの吸痰孔２２１，２２２の寸法は、吸痰管４１０の貫通接合を許容するだけであるので、吸痰期間に、酸素供給コネクタ１２０が供給する酸素がこの２つの吸痰孔２２１，２２２を経由し、吸痰コネクタ１３０に吸引される。押圧スイッチ２００が第２位置にある時、洗浄段Ｚ２は、患者端コネクタ１１０及び吸痰コネクタ１３０の間に位置し、洗浄段Ｚ２に患者端コネクタ１１０及び吸痰コネクタ１３０の間の相通を閉鎖させるので、この時、洗浄液が吸痰段Ｚ１の洗浄液入口２２３及び洗浄段Ｚ２の洗浄液出口２２４を介して、吸痰コネクタ１３０内に注入されることができ、吸痰段Ｚ１及び洗浄段Ｚ２の内部に対し、同時に洗浄を行い、酸素は、押圧スイッチ２００の洗浄段Ｚ２外壁の阻隔を受けて、吸痰コネクタ１３０内に進入することができない。従って、本発明の押圧スイッチ２００は、酸素が吸痰又は洗浄の過程において、ポンピングされることを回避することができる。
【００２１】
もう一方で、本発明に基づき、該押圧スイッチ２００が該第１位置にある時（図１参照）、吸痰コネクタ１３０に近隣する該吸痰孔２２２の周縁に痰削ぎ片２２５を有するので、吸痰管４１０が２つの吸痰孔２２１，２２２及び吸痰コネクタ１３０を抽出する時、吸痰管４１０外表面上の残留痰液が痰削ぎ片２２５により除かれ、押圧スイッチ２００内に留まる。このように、吸痰管４１０の外表面上に痰液を残留するので、メディカルケアスタッフ又は清掃員が痰液中の病原菌により感染されることがない。
【００２２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２３】
１  吸痰装置
１００  本体
１１０  患者端コネクタ
１２０  酸素供給コネクタ
１３０  吸痰コネクタ
１４０  洗浄コネクタ
１５０  接続部
２００  押圧スイッチ
２１０  仕切り板
２１１  通孔
２２１  吸痰孔
２２２  吸痰孔
２２３  洗浄液入口
２２４  洗浄液出口
２２５  痰削ぎ片
２２５１  貫通孔
２２６  押圧部材
２２７  係止凸縁
３００  酸素管
４００  蓄痰容器
４１０  吸痰管
５００  洗浄管
Ｚ１  吸痰段
Ｚ２  洗浄段
Ｚ３  押圧段
【図１】
0003178417.tif 000003
【図２】
0003178417.tif 000004
【図３】
0003178417.tif 000005